(57)【要約】【課題】シャッタ羽根駆動アクチュエータに対する負荷変動を少なくして開閉性能を安定化する。【解決手段】シャッタ装置９を開閉するとき、第１の羽根１３は第１の基板１１に対して揺動中心部と案内レール１８だけで接触し、その他の部分は間隔Ｄ１の隙間１９を隔てて揺動し、第２の羽根１４は揺動中心部だけが第２の基板１２に接触し、先端部の一部が羽根押え２０に接触し、その他の部分は第２の基板１２に対して間隔Ｄ２の隙間２３を隔てて揺動する。第１の羽根１３と第２の羽根１４の作動域のほとんどの部分が第１の基板１１と第２の基板１２から隙間１９，２３を隔てて揺動するから、第１の羽根１３と第２の羽根１４が理想平面から少しずれて形成されていても、作動域全般における負荷変動を少なくして開閉動作を安定して行う。【選択図】　　図１
2004061696.tif 000002
【特許請求の範囲】
【請求項１】
中心部に開口部を有する第１の基板と第２の基板と、第１の基板に揺動自在に軸支して第１の基板と第２の基板の間に対向して設けられた第１の羽根と第２の羽根を有し、第１の羽根と第２の羽根を揺動して光束を通過，遮蔽させるシャッタ装置において、
第１の羽根と第２の羽根の揺動先端部の一部を、第１の基板と羽根押えとで挟み込んで位置を規制し、第２の基板は、第１の羽根と第２の羽根の揺動中心部と羽根押えの部分以外の領域で第２の羽根との間に、第１の基板と第１の羽根との隙間より大きな間隙の隙間を形成することを特徴とするシャッタ装置。
【請求項２】
前記羽根押えの表面は平滑に形成された請求項１記載のシャッタ装置。
【請求項３】
前記羽根押えを第２の基板と一体に形成した請求項１又は２記載のシャッタ装置。
【請求項４】
請求項１乃至３のいずれかに記載のシャッタ装置を有することを特徴とするカメラ。
【請求項５】
前記第１の基板又は第２の基板のいずれかを撮像レンズの鏡胴と一体に形成した請求項４記載のカメラ。
【発明の詳細な説明】
【０００１】
【発明の属する技術分野】
この発明は、レンズ開口を開閉するシャッタ装置及びカメラ、特に開閉性能の安定化に関するものである。
【０００２】
【従来の技術】
カメラのシャッタ装置に使用するシャッタ羽根は、駆動アクチュエータにより急速な開閉動作を行う。この急速な開閉動作を行うシャッタ羽根の平面性は、理想的な平面が得にくいことから、シャッタ開閉性能の安定を図るため種々の提案がされている。例えば特開平８−１５２６６７号公報に示されたシャッタ装置は、シャッタ全閉状態のときにシャッタ羽根を乗り上げる３点の高位面を設けて、シャッタ羽根を規定された平面に位置させ、シャッタ羽根を開にするときの移動初期に安定した負荷は加わるようにして駆動アクチュエータに対する初期荷重を軽減させるようにしている。また、シャッタ羽根の開閉動作中は羽根を案内する摺動案内部を高位面より低くして、シャッタ羽根の外周先端部に大きな摩擦抵抗が加わるのを防止して、開閉動作中の負荷を安定させるようにしている。
【０００３】
【発明が解決しようとする課題】
前記のようにシャッタ全閉状態のときにシャッタ羽根を高位面に乗り上げさせておいても、シャッタ羽根の平面性によってはシャッタ羽根の移動初期の負荷が開口作動域の負荷よりも大きくなりシャッタ羽根駆動アクチュエータに対する初期荷重が重くなり、開閉性能が不安定になる。
【０００４】
この発明はこのような短所を改善し、シャッタ羽根駆動アクチュエータに対する負荷変動を少なくして開閉性能を安定化することができるシャッタ装置とカメラを提供することを目的とするものである。
【０００５】
【課題を解決するための手段】
この発明に係るシャッタ装置は、中心部に開口部を有する第１の基板と第２の基板と、第１の基板に揺動自在に軸支して第１の基板と第２の基板の間に対向して設けられた第１の羽根と第２の羽根を有し、第１の羽根と第２の羽根を揺動して光束を通過，遮蔽させるシャッタ装置において、第１の羽根と第２の羽根の揺動先端部の一部を、第１の基板と羽根押えとで挟み込んで位置を規制し、第２の基板は、第１の羽根と第２の羽根の揺動中心部と羽根押えの部分以外の領域で第２の羽根との間に、第１の基板と第１の羽根との隙間より大きな間隙の隙間を形成することを特徴とする。
【０００６】
前記羽根押えの表面は平滑に形成すると良い。この羽根押えを第２の基板と一体に形成しても良い。
【０００７】
この発明に係るカメラは、前記のシャッタ装置を有することを特徴とする。このシャッタ装置の第１の基板又は第２の基板のいずれかを撮像レンズの鏡胴と一体に形成することが望ましい。
【０００８】
【発明の実施の形態】
図１はデジタルカメラの外観図である。図１（ａ）に示すように、デジタルカメラ１の撮像側である表面にはレンズ２と光学ファインダ３とストロボ４を有し、上面にはシャッタボタン５を有する。デジタルカメラ１の裏面には、図１（ｂ）に示すように、撮像モード等の設定を行う複数の設定ボタン６と液晶ディスプレイからなる表示部７を有し、側面にメモリカード８の格納部を有する。
【０００９】
このデジタルカメラ１のレンズ２から入射する光束を遮蔽したり通過させるシャッタ装置９は、図２の断面図に示すように、中心部に開口部１０を有する第１の基板１１と第２の基板１２の間に設けられた第１の羽根１３と第２の羽根１４を有する。第１の羽根１３は、図３の正面図に示すように、第１の基板１１に設けた支持軸１５に揺動自在に軸支され、第２の羽根１４も第１の基板１１に設けた支持軸１６に揺動自在に軸支されている。この第１の羽根１３と第２の羽根１４は、例えばステッピングモータ等の駆動アクチュエータに連結された駆動軸１７により揺動して開閉動作を行う。
【００１０】
第１の羽根１３は、第１の基板１１の支持軸１５側と第１の羽根１３の先端部側に設けられている案内レール１８により案内され、案内レール１８と支持軸１５に接触する部分以外は第１の基板１１から一定間隔Ｄ１の隙間１９をおいて配置されている。第２の羽根１４は一部が第１の羽根１３に接して配置され、第１の羽根１３と第２の羽根１４の先端部の一部は、第１の基板１１に位置決めして取り付けた羽根押え２０により位置が規制されている。この羽根押え２０は、第１の羽根１３や第２の羽根１４と同様な材料で形成したり、第１の羽根１３や第２の羽根１４と異なる材料に潤滑被膜処理をして平滑に形成して摩擦係数を小さくしている。
【００１１】
第２の基板１２は、第１の羽根１３と第２の羽根１４の支持軸１５，１６の部分に設けられた中空軸部２１と羽根押え２０の部分に設けられた中空軸部２２を有し、中空軸部２１で第１の羽根１３と第２の羽根１４の揺動中心部を案内し、中空軸部２２で羽根押え２０をレンズ２の光軸方向で位置決めし、その他の部分で第２の羽根１４との間に一定間隔Ｄ２の隙間２３を有する。この隙間２３の間隔Ｄ２は第１の基板１１と第１の羽根１３の隙間１９の間隔Ｄ１より大きくなっている。
【００１２】
このシャッタ装置９で全閉状態のとき、図３（ａ）に示すように、第１の羽根１３と第２の羽根１４は第１の基板１１と第２の基板１２の開口部１０側に揺動して重なり開口部１０を遮蔽している。この状態でデジタルカメラ１のシャッタボタン５が押されると、駆動アクチュエータに連結された駆動軸１７が回動し、図３（ｂ）に示すように、第１の羽根１３と第２の羽根１４を揺動して開口部１０を開にし、所定時間経過後に再び第１の羽根１３と第２の羽根１４を揺動して初期位置に戻し全閉状態にする。このシャッタ装置９を開閉するため第１の羽根１３と第２の羽根１４を揺動するとき、第１の羽根１３は第１の基板１１に対して揺動中心部と案内レール１８だけで接触し、その他の部分は間隔Ｄ１の隙間１９を隔てて揺動し、第２の羽根１４は揺動中心部だけが第２の基板１２に接触し、先端部の一部が羽根押え２０に接触し、その他の部分は第２の基板１２に対して間隔Ｄ２の隙間２３を隔てて揺動する。このように第１の羽根１３と第２の羽根１４が揺動するとき、第１の羽根１３と第２の羽根１４の作動域のほとんどの部分が第１の基板１１と第２の基板１２から隙間１９，２３を隔てて揺動するから、第１の羽根１３と第２の羽根１４が理想平面から少しずれて形成されていても、作動域全般における負荷変動を少なくすることができ、開閉動作を安定して行うことができる。
【００１３】
また、第１の羽根１３と第２の羽根１４を揺動するとき、第１の羽根１３と第２の羽根１４の作動域の一部が羽根押え２０で案内されるとともに、羽根押え２０の表面が平滑に形成されているから、羽根押え２０による初期負荷や揺動中の負荷を低減することができ、駆動アクチュエータに対する負荷を安定化することができる。したがってデジタルカメラ１で撮像するとき、撮像姿勢によるシャッタ切りムラ等をなくすことができ、良質な画像を安定して撮像することができる。
【００１４】
前記シャッタ装置９は、第１の羽根１３と第２の羽根１４の作動域の一部を羽根押え２０で規制して案内する場合について説明したが、図４の断面図に示すように、第２の基板１２に羽根押え用レール２４を設け、羽根押え用レール２４により第１の羽根１３と第２の羽根１４の作動域の先端部の一部を規制して案内するようにしても良い。このように第２の基板１２に羽根押え用レール２４を設けることにより、シャッタ装置９を構成する部品を減らして、容易に組み立てることができる。また、第１に基板１１又は第２の基板１２のいずれか、例えば図５の断面図に示すように、第２の基板１２をレンズ２の鏡胴２５と一体に形成することにより、シャッタ装置９を構成する部品をより低減することができる。
【００１５】
【発明の効果】
この発明は以上説明したように、第１の基板と第２の基板の間に対向して揺動自在に設けられた第１の羽根と第２の羽根の揺動先端部の一部を、第１の基板と羽根押えとで挟み込んで位置を規制し、第２の基板は、第１の羽根と第２の羽根の揺動中心部と羽根押えの部分以外の領域で第２の羽根との間に、第１の基板と第１の羽根との隙間より大きな間隙の隙間を形成するようにしたから、第１の羽根と第２の羽根の作動域のほとんどの部分を、第１の基板と第２の基板から隙間を隔てて揺動させることができ、第１の羽根と第２の羽根が理想平面から少しずれて形成されていても、作動域全般における負荷変動を少なくして、開閉動作を安定して行うことができる。
【００１６】
また、第１の羽根と第２の羽根の揺動先端部の一部を規制して案内する羽根押えの表面を平滑に形成することにより、羽根押えによる負荷を低減することができ、第１の羽根と第２の羽根を揺動させる駆動アクチュエータに対する負荷を安定化することができる。
【００１７】
さらに、羽根押えを第２の基板と一体に形成することにより、シャッタ装置を構成する部品を減らして、容易に組み立てることができる。
【００１８】
また、このシャッタ装置を有するカメラは、シャッタ開閉をする駆動アクチュエータに対する負荷を安定化することにより、撮像するとき、撮像姿勢によるシャッタ切りムラ等をなくすことができ、良質な画像を安定して撮像することができる。
【００１９】
さらに、シャッタ装置の第１の基板又は第２の基板のいずれかを撮像レンズの鏡胴と一体に形成することにより、シャッタ装置を構成する部品をより低減することができ、より組立を容易にすることができる。
【図面の簡単な説明】
【図１】デジタルカメラの外観図である。
【図２】シャッタ装置の構成を示す断面図である。
【図３】シャッタ装置の構成を示す正面図である。
【図４】他のシャッタ装置の構成を示す断面図である。
【図５】第２の基板を一体に形成したレンズの鏡胴を示す断面図である。
【符号の説明】
１；デジタルカメラ、２；レンズ、３；光学ファインダ、４；ストロボ、
５；シャッタボタン、７；表示部、９；シャッタ装置、１０；開口部、
１１；第１の基板、１２；第２の基板、１３；第１の羽根、
１４；第２の羽根、１５；支持軸、１６；支持軸、１７；駆動軸、
１８；案内レール、１９；隙間、２０；羽根押え、２１；中空軸部、
２２；中空軸部、２３；隙間。
【図１】
2004061696.tif 000003
【図２】
2004061696.tif 000004
【図３】
2004061696.tif 000005
【図４】
2004061696.tif 000006
【図５】
2004061696.tif 000007